(57)【特許請求の範囲】
【請求項１】
地盤内に存在する空洞部に発泡ウレタンを充填する方法であって、
発泡ウレタン原液は、混合によって前記発泡ウレタンとなる少なくとも二種類の液体の混合液であり、
前記空洞部に複数種類の前記発泡ウレタン原液を順次注入することにより、前記空洞部内に複数の発泡ウレタン層を形成することを特徴とする発泡ウレタン充填方法。
【請求項２】
前記複数の発泡ウレタン層は発泡強度が異なることを特徴とする請求項１記載の発泡ウレタン充填方法。
【請求項３】
前記地盤内には、所定の勾配を有する地下水排水管が横設されており、前記地下水排水管には、前記地盤から浸入する地下水を受け入れて前記地下水排水管の内部に誘導する竪集水管が立設されており、
前記空洞部は、前記竪集水管の内部の少なくとも一部であることを特徴とする請求項１または２記載の発泡ウレタン充填方法。
【請求項４】
前記竪集水管は、前記地盤に接する有孔管と、前記有孔管の下部の内側に配置された内管と、を備え、
前記有孔管の内周面と前記内管の外周面との間には、前記地盤から浸入する地下水が流下する集水空間が形成され、
前記空洞部は、前記有孔管内で、且つ前記集水空間を除く埋め戻し予定空間であることを特徴とする請求項３記載の発泡ウレタン充填方法。
【請求項５】
前記内管の上部周りに環状のチューブを配置し、前記チューブを膨張させて前記集水空間の上端を閉塞して前記埋め戻し予定空間との境界を形成することを特徴とする請求項４記載の発泡ウレタン充填方法。
【請求項６】
前記発泡ウレタン原液の吐出口を有する複数の注入管ユニットを、前記吐出口の高さが異なるように前記埋め戻し予定空間に配置し、
最下の前記吐出口から前記発泡ウレタン原液を注入して前記埋め戻し予定空間に最下段の前記発泡ウレタン層を形成した後、前記最下の吐出口よりも上方に配置された一または複数の前記吐出口のうち、下方の前記吐出口から順番に前記発泡ウレタン原液を注入して前記埋め戻し予定空間に複数の前記発泡ウレタン層を形成することを特徴とする請求項４または５記載の発泡ウレタン充填方法。
【請求項７】
前記注入管ユニットは、前記発泡ウレタン原液となる少なくとも二種類の液体それぞれが通過する少なくとも二本の液体移送管と、前記液体移送管それぞれを通過した前記液体を混合して前記発泡ウレタン原液を生成する液体混合管と、前記液体混合管で生成された前記発泡ウレタン原液を吐出する吐出口が形成された吐出管と、を備え、
前記液体移送管は前記有孔管に沿って立設されると共に、前記液体移送管の上端部側には前記吐出管が配置されており、
前記注入管ユニットの前記吐出管は、前記吐出口を下方に向けて配置されていることを特徴とする請求項６記載の発泡ウレタン充填方法。
【請求項８】
地盤内に存在する空洞部内に注入される発泡ウレタン原液が通過する注入管ユニットであって、
前記発泡ウレタン原液となる少なくとも二種類の液体それぞれが通過する少なくとも二本の液体移送管と、
前記液体移送管それぞれを通過した前記液体を混合して前記発泡ウレタン原液を生成する液体混合管と、
前記液体混合管で生成された前記発泡ウレタン原液を吐出する吐出口が形成された吐出管と、を備えたことを特徴とする注入管ユニット。
【請求項９】
前記吐出管には、前記液体移送管の前記液体の通過方向に対し、前記発泡ウレタン原液の吐出方向が逆向きとなる位置に前記吐出口が設けられていることを特徴とする請求項８記載の注入管ユニット。
【請求項１０】
前記吐出管と前記液体混合管とを連結する連結部を更に備え、
前記連結部は、前記液体混合管に接続された固定接続部と、前記固定接続部に接続されると共に、屈曲して前記吐出管に接続された可動接続部とを有し、
前記可動接続部は、前記固定接続部を支点に回動可能であって前記吐出口の向きを調整可能に設けられていることを特徴とする請求項８または９記載の注入管ユニット。
【請求項１１】
地盤内に存在する空洞部に発泡ウレタンが充填された発泡ウレタン充填構造であって、
前記空洞部内に複数の発泡ウレタン層が形成され、
前記地盤内には、所定の勾配を有する地下水排水管が横設されており、前記地下水排水管には、前記地盤から浸入する地下水を受け入れて前記地下水排水管の内部に誘導する竪集水管が立設されており、
前記空洞部は、前記竪集水管の内部の少なくとも一部であることを特徴とする発泡ウレタン充填構造。
【請求項１２】
前記竪集水管は、前記地盤に接する有孔管と、前記有孔管の下部の内側に配置された内管と、を備え、
前記有孔管の内周面と前記内管の外周面との間には、前記地盤から浸入する地下水が流下する集水空間が形成され、
前記空洞部は、前記有孔管内で、且つ前記集水空間を除く埋め戻し予定空間であることを特徴とする請求項１１記載の発泡ウレタン充填構造。
【請求項１３】
前記複数の発泡ウレタン層は、発泡強度が異なることを特徴とする請求項１１または１２記載の発泡ウレタン充填構造。
【発明の詳細な説明】
【技術分野】
【０００１】
本発明は、地盤内に存在する空洞部に発泡ウレタンを充填する発泡ウレタン充填方法、発泡ウレタンを空洞部に充填するために用いられる発泡ウレタン原液の注入管ユニット、及び空洞部に発泡ウレタンが充填された発泡ウレタン充填構造に関する。
【背景技術】
【０００２】
造成地盤における竪集水ます等を埋め戻す方法が知られている。例えば、特許文献１には、竪集水ます内の空洞部に可塑性グラウトや発泡ウレタンなどを充填することで竪集水ます内を埋め戻し、その結果、老朽化した竪集水ますの破損によって土砂等が竪集水ますに流入して地盤が陥没等してしまうことを防止している。
【先行技術文献】
【特許文献】
【０００３】
【特許文献１】特開２０１３−４０４８１号公報
【発明の概要】
【発明が解決しようとする課題】
【０００４】
地盤の土質はエリアで異なり、更に深さに応じて土圧が変化するので発泡ウレタンで充填された一つの空洞部にかかる負荷も単純ではない。しかしながら、従来の埋め戻し方法では、単純に一種類の発泡ウレタンを充填することを前提とするので、地盤の特性や土圧の変化に応じた最適化を図り難いという課題があった。更に、空洞部の全体に亘って発泡強度の高い発泡ウレタンを使用する必要も生じ、コスト面も含めて効率が悪くなり易かった。
【０００５】
本発明は、以上の課題を解決することを目的としており、地盤中に存在する空洞部に発泡ウレタンを充填して地盤と同等以上の支持力を付与する際に、地盤の特性や土圧の変化に応じた充填を行い易くする発泡ウレタン充填方法、発泡ウレタン原液の注入管ユニット、及び発泡ウレタン充填構造を提供することを目的とする。
【課題を解決するための手段】
【０００６】
本発明は、地盤内に存在する空洞部に発泡ウレタンを充填する方法である。そして、この方法では、発泡ウレタン原液は、混合によって発泡ウレタンとなる少なくとも二種類の液体の混合液であり、空洞部に複数種類の発泡ウレタン原液を順次注入することにより、空洞部内に複数の発泡ウレタン層を形成することを特徴とする。
【０００７】
この発泡ウレタン充填方法では、例えば、地盤に土質の異なる地層があったり、また、空洞部が縦長で深さに起因した土圧変化の影響を受け易い形態であったりしても、空洞部内に複数の発泡ウレタン層を形成するので、必要に応じて各発泡ウレタン層の発泡強度に変化を持たせることができ、地盤の特性や土圧の変化に応じた発泡ウレタンの充填が行い易くなる。
【０００８】
また、複数の発泡ウレタン層を発泡強度が異なるように形成することで、より最適化を図り易くなる。
【０００９】
また、地盤内には、所定の勾配を有する地下水排水管が横設されており、地下水排水管には、地盤から浸入する地下水を受け入れて地下水排水管の内部に誘導する竪集水管が立設されており、上記の空洞部は、竪集水管の内部の少なくとも一部であると好適である。竪集水管は鉛直方向に沿って立設されているので深さに起因した土圧変化の影響を受け易い。従って、竪集水管の内部である空洞部に発泡ウレタンを充填して複数層を形成することで適切な埋め戻しが可能になる。
【００１０】
また、竪集水管は、地盤に接する有孔管と、有孔管の下部の内側に配置された内管と、を備え、有孔管の内周面と内管の外周面との間には、地盤から浸入する地下水が流下する集水空間が形成され、空洞部は、有孔管内で、且つ集水空間を除く埋め戻し予定空間であると好適である。複数の発泡ウレタン層を形成する埋め戻し予定空間は、集水空間を除く空間であるため、この集水空間においては引き続き地下水の排水機能を維持させることができる。
【００１１】
また、内管の上部周りに環状のチューブを配置し、前記チューブを膨張させて集水空間の上端を閉塞して埋め戻し予定空間との境界を形成すると好適である。チューブに流体を供給して膨張させることで、集水空間と埋め戻し予定空間との境界を容易に形成でき、作業性を向上させることができる。
【００１２】
また、発泡ウレタン原液の吐出口を有する複数の注入管ユニットを、吐出口の高さが異なるように埋め戻し予定空間に配置し、最下の吐出口から発泡ウレタン原液を注入して埋め戻し予定空間に最下段の発泡ウレタン層を形成した後、最下の吐出口よりも上方に配置された一または複数の吐出口のうち、下方の吐出口から順番に発泡ウレタン原液を注入して埋め戻し予定空間に複数の発泡ウレタン層を形成すると好適である。埋め戻し予定空間内で、吐出口の高さが異なるように配置された複数の注入管ユニットを利用することで、発泡ウレタン層の高さを調節しながら複数の発泡ウレタン層を容易に形成できる。
【００１３】
また、注入管ユニットは、発泡ウレタン原液となる少なくとも二種類の液体それぞれが通過する少なくとも二本の液体移送管と、液体移送管それぞれを通過した液体を混合して発泡ウレタン原液を生成する液体混合管と、液体混合管で生成された発泡ウレタン原液を吐出する吐出口が形成された吐出管と、を備え、液体移送管は有孔管に沿って立設されると共に、液体移送管の上端部側には吐出管が配置されており、注入管ユニットの吐出管は、吐出口を下方に向けて配置されていると好適である。発泡ウレタン原液は粘性を有するので吐出口付近に留まり易く、更にその場所で発泡、硬化することで団結塊として成長し、閉塞させる可能性がある。しかしながら、上記の吐出管は、吐出口を下方に向けて配置されているので、発泡ウレタン原液は下方に向けて滑らかに吐出されることになり、目詰まり等を抑制するのに効果的である。
【００１４】
また、本発明は、地盤内に存在する空洞部内に注入される発泡ウレタン原液が通過する注入管ユニットであって、発泡ウレタン原液となる少なくとも二種類の液体それぞれが通過する少なくとも二本の液体移送管と、液体移送管それぞれを通過した液体を混合して発泡ウレタン原液を生成する液体混合管と、液体混合管で生成された発泡ウレタン原液を吐出する吐出口が形成された吐出管と、を備えたことを特徴とする。
【００１５】
本発明では、発泡ウレタン原液となる少なくとも二種類の液体をそれぞれ別の液体移送管で移送できる。さらに、液体移送管で移送された二種類の液体は液体混合管で混合させて発泡ウレタン原液となり、発泡ウレタン原液となって初めて発泡が開始される。つまり、本発明では、発泡前の状態である液体を空洞部内の適当な位置まで送液でき、その場所で二種類の液体を混合することで発泡ウレタン原液を生成し、生成した発泡ウレタン原液を適当な位置から突出して発泡ウレタン層を形成できる。つまり、上記の注入管ユニットを複数用い、各注入管ユニットの吐出口の高さが異なるように配置することで複数の発泡ウレタン層を容易に実現できる。
【００１６】
また、吐出管には、液体移送管の液体の通過方向に対し、発泡ウレタン原液の吐出方向が逆向きとなる位置に吐出口が設けられていると好適である。液体移送管を鉛直方向に沿って立設するように配置し、液体移送管の下端側から送液するようにすると、液体移送管の液体の通過方向は下端部から上端部に向けた方向、つまり上向きとなる。そして、液体移送管の上端部側で生成された発泡ウレタン原液の吐出方向は、液体の通過方向とは逆方向となる下向きとなるので発泡ウレタン原液が滑らかに吐出され、目詰まり等の抑制に効果的である。
【００１７】
また、吐出管と液体混合管とを連結する連結部を更に備え、連結部は、液体混合管に接続された固定接続部と、固定接続部に接続されると共に、屈曲して吐出管に接続された可動接続部とを有し、可動接続部は、固定接続部を支点に回動可能であって吐出口の向きを調整可能に設けられていると好適である。吐出口の向きを調整できれば、空洞部の適当な位置に狙いを定めて発泡ウレタン原液を吐出し易くなり、適切な発泡ウレタン層を形成する上で有利である。
【００１８】
また、本発明は、地盤内に存在する空洞部に発泡ウレタンが充填された発泡ウレタン充填構造であって、空洞部内に複数の発泡ウレタン層が形成されていることを特徴とする。
【００１９】
本発明によれば、必要に応じて各発泡ウレタン層の発泡強度に変化を持たせることができ、空洞部に対して地盤の特性や土圧の変化に応じた適切な支持力を付与可能となる。
【００２０】
また、複数の発泡ウレタン層を発泡強度が異なるように形成することで、最適化を図り易くなる。
【００２１】
また、地盤内には、所定の勾配を有する地下水排水管が横設されており、地下水排水管には、地盤から浸入する地下水を受け入れて地下水排水管の内部に誘導する竪集水管が立設されており、上記の空洞部は、竪集水管の内部の少なくとも一部であると好適である。竪集水管の内部である空洞部に複数の発泡ウレタン層を形成することで適切な埋め戻しが可能になる。
【００２２】
また、竪集水管は、地盤に接する有孔管と、有孔管の下部の内側に配置された内管と、を備え、有孔管の内周面と内管の外周面との間には、地盤から浸入する地下水が流下する集水空間が形成され、空洞部は、有孔管内で、且つ集水空間を除く埋め戻し予定空間であると好適である。埋め戻し予定空間は、集水空間を除く空間であるため、この集水空間においては引き続き地下水の排水機能を維持させることができる。
【発明の効果】
【００２３】
本発明によれば、地盤中に存在する空洞部に発泡ウレタンを充填して地盤と同等以上の支持力を付与する際に、地盤の特性や土圧の変化に応じた充填を行い易くする。
【図面の簡単な説明】
【００２４】
【図１】本発明の実施形態に係る発泡ウレタン充填構造を示す断面図である。
【図２】竪集水管の内管等を拡大して示す概略的な断面図である。
【図３】竪集水管内の埋め戻し予定空間に複数の注入管ユニットを配置した状態を示す概略的な説明図である。
【図４】竪集水管の埋め戻し方法において複数の発泡ウレタン層を形成している状態を示す図であり、（ａ）は第１層を形成している状態を示し、（ｂ）は第２層を形成している状態を示し、（ｃ）は第３層を形成している状態を示し、（ｄ）は第４層を形成している状態を示す説明図である。
【図５】上部注入管ユニットを示し、（ａ）は正面図、（ｂ）は（ａ）図のｂ−ｂ線に沿った断面図、（ｃ）は上方から見た平面図である。
【図６】上部注入管ユニットの斜視図である。
【図７】下部注入管ユニットの斜視図である。
【図８】造成地盤に充填された地下水排水管と竪排水管とを示す断面図である。
【図９】埋め戻しが行われた地下水排水管と竪集水管とを示す断面図である。
【発明を実施するための最良の形態】
【００２５】
以下、図面を参照して本発明の好適な実施形態について説明する。
【００２６】
宅地等における造成地盤においては、主に工事中における盛土地盤を安定させるために地盤中に防災管１００（図８参照）を設置して地盤中の地下水を排水することが行われている。これらの防災管１００は、所定の勾配を設けて地盤中に横設された地下水排水管（以下、「既設排水管」という）１０１を備えており、既設排水管１０１には、例えば、ＲＣ製の集水桝１０４が設置されている。また、集水桝１０４には、地盤から浸入する地下水を受け入れて既設排水管１０１の内部に誘導する竪排水管１０２が立設されている。
【００２７】
造成工事が終了した後、竪排水管１０２をそのまま残し、排水機能を維持させるようにする場合がある。しかしながら、造成工事からの年数経過によって、排水のための要求性能も低くなり、一方で、竪排水管１０２の不要な空洞部を残しておくと、老朽化等で竪排水管１０２が破損した場合に土砂等が竪排水管１０２に流入して地盤Ｇが陥没等する可能性がある。
【００２８】
この不具合を解消するため、例えば、図９に示されるように、竪排水管１０２内の空洞部を一部の集水空間Ａａ（図１参照）を残して発泡ウレタンで埋め戻し、また、集水空間Ａａに連通する新設排水管１０３を既設排水管１０１内に敷設し、その新設排水管１０３の周囲をエアミルクＭ等で埋め戻す。以下、図１を参照し、発泡ウレタンの充填によって地盤と同等以上の支持力が付与された埋め戻し構造（発泡ウレタン充填構造）５０について説明する。なお、以下の説明では、発泡ウレタンで充填される竪排水管１０２について、上記の既設の竪排水管１０２と区別して竪集水管１と称する。
【００２９】
集水桝１０４には竪集水管１の外管となる有孔管２が立設されている。本実施形態に係る有孔管２はメッシュ状の鋼製筒状体であるが、材質や孔の形状、配置については、変形例として様々な形態を適用できる。集水桝１０４の上床版１０４ａ上には補強コンクリート１０５が設置されており、補強コンクリート１０５上には、有孔管２を取り囲むように割栗石Ｇａが敷き詰められている。また、有孔管２の上端は、ヒューム管及び間詰めコンクリートからなる密閉蓋３で閉塞されている。
【００３０】
集水桝１０４の上床版１０４ａの下（裏）面には、集水用の底型枠４が固定されている。底型枠４はトレー状（皿状）であり、底型枠４には導水管５に連通する連通孔が形成されている。導水管５は、新設排水管１０３に連通可能に接続されている。
【００３１】
底型枠４上には、有孔管２の内周面２ａに沿うように、例えば塩ビ管からなる内管６が立設されている。内管６の外周面６ａと有孔管２の内周面２ａとの間には隙間が在り、この隙間が集水空間Ａａとなる。また、内管６の上端周りには環状（ドーナツ状）のゴムチューブ８が固定されており、ゴムチューブ８は水の注入によって膨張し、膨張したゴムチューブ８は集水空間Ａａの上端を閉塞する。つまり、本実施形態では、ゴムチューブに水（流体）を供給して膨張させることで、集水空間Ａａと埋め戻し予定空間Ａｂとの境界を容易に形成でき、作業性を向上させることができる。
【００３２】
集水空間Ａａでは、有孔管２の孔が生きていて、割栗石Ｇａを通過して流入する地下水を受け入れ、下方の底型枠４、及び導水管５を介して新設排水管１０３に排出する。一方で、埋め戻し予定空間Ａｂには発泡ウレタンが充填されており、有孔管２の孔を塞いで地下水や土砂の流入を遮断する。
【００３３】
なお、一例であるが、本実施形態に係る竪集水管１の有孔管２の内径は５００ｍｍ〜９００ｍｍ、有孔管２の長手方向の寸法は２．１ｍ〜２３．６ｍ、内管６の内径は２００ｍｍ〜５００ｍｍとした。
【００３４】
埋め戻し予定空間Ａｂに充填された発泡ウレタンは発泡強度の異なる複数の発泡ウレタン層Ｐ１、Ｐ２，Ｐ３、Ｐ４を形成している。本実施形態では、４層の発泡ウレタン層Ｐ１〜Ｐ４を例示しており、最下段の発泡ウレタン層（第１層）Ｐ１は主に内管６内に充填される。２段目の発泡ウレタン層（第２層）Ｐ２は第１層Ｐ１に積層されており、発泡強度は最も高い。３段目の発泡ウレタン層（第３層）Ｐ３は第２層Ｐ２に積層され、発泡強度は第２層Ｐ２よりも低い。そして、最上段の発泡ウレタン層（第４層）Ｐ４は第３層Ｐ３に積層され、また、密閉蓋３で閉じられた上部の空間を埋め尽くすように充填され、発泡強度は最も低い。
【００３５】
一般には、地盤Ｇは、深さが深くなるほど土圧が大きくなる。従って、この土圧に対抗するため、本実施形態では、第１層Ｐ１を除き、下方に形成された発泡ウレタン層（例えば、第２層Ｐ２）の方が、上方に形成された発泡ウレタン層（例えば、第３層Ｐ３や第４層Ｐ４）よりも発泡強度が高くなるように設定している。
【００３６】
次に、図２、図３、及び図４を参照し、上述の埋め戻し構造（発泡ウレタン充填構造）５０を形成するための埋め戻し方法（発泡ウレタン充填方法）について説明する。図２は竪集水管１の内管６、及び内管６を支える底型枠４を拡大して示す図であり、図３は、埋め戻し予定空間Ａｂに複数の注入管ユニット１０，１１Ａ，１１Ｂ，１１Ｃを配置した状態を示す概略的な説明図である。また、図４は、複数の発泡ウレタン層Ｐ１〜Ｐ４を順番に形成している状態を示す説明図である。
【００３７】
まず、発泡ウレタンの生成について、その一例を説明する。本実施形態では、少なくとも２種類の液体、具体的には、ポリオールを主成分とするＡ液と、イソシアネートを主成分とするＢ液とを用いて発泡ウレタンを生成している。Ａ液は、例えば、ポリオール、（ポリ）アミン、触媒、発泡剤、整泡剤などを混ぜた液体であり、Ｂ液は、例えば、ポリイソシアネート単体、もしくは数種類のイソシアネートを混ぜた液体である。
【００３８】
Ａ液とＢ液とを撹拌混合することで発泡ウレタン原液が生成され、クリーム状の液体となる。Ａ液とＢ液との撹拌終了後からクリーム状の液体となるまでの時間はクリームタイムと称され、本実施形態では、例えば、１２±５秒程度である。その後、発泡ウレタン原液が発泡し、泡状の物質として膨張するが、発泡開始から膨張終了までの時間はライズタイムと称され、本実施形態では、例えば、８０±２０秒程度である。なお、本実施形態では、Ａ液とＢ液との配合比は１：２±０．２とした。
【００３９】
１種類のＢ液に対し、例えば、Ａ液中のポリオール、（ポリ）アミン、触媒、発泡剤、整泡剤等の配合割合を変えた複数のＡ液を準備することで、発泡強度の異なる複数の発泡ウレタン層Ｐ１〜Ｐ４を形成するための、複数種類の発泡ウレタン原液を生成できる。また、本実施形態では、Ａ液とＢ液との配合割合は一定になるように設定されているが、Ａ液とＢ液との配合割合を変えることで、発泡強度の異なる複数の発泡ウレタン層Ｐ１〜Ｐ４を形成するための、複数種類の発泡ウレタン原液を生成することもできる。なお、発泡強度とは圧縮強度を意味しており、単位「Ｎ／ｍｍ２」で表すことができる。
【００４０】
本実施形態では、地盤Ｇの特性に応じた複数の発泡ウレタン層Ｐ１〜Ｐ４を埋め戻し予定空間Ａｂに形成するため、上述のＡ液とＢ液との組み合わせから適切な組み合わせを選択、採用する。具体的には、最大深度である第１層Ｐ１では１２倍発泡で発泡強度１．００Ｎ／ｍｍ２となるＡ液とＢ液との組み合わせからなる混合液（発泡ウレタン原液）を採用する。また、第２層Ｐ２では、１２倍発泡で発泡強度が１．００Ｎ／ｍｍ２となるＡ液とＢ液の組み合わせを採用し、第３層Ｐ３では、２０倍発泡で発泡強度が０．５０Ｎ／ｍｍ２となるＡ液とＢ液の組み合わせを採用し、第４層Ｐ４では、３０倍発泡で発泡強度が０．２４Ｎ／ｍｍ２となるＡ液とＢ液との組み合わせを採用する。
【００４１】
つまり、本実施形態では、基本的に、深さが深いほど発泡強度が高くなるように設定されている。なお、第１層Ｐ１と第２層Ｐ２とは発泡強度が同じになっているが、層としては分かれており、この場合でも、必要に応じて第１層Ｐ１の方が第２層Ｐ２よりも発泡強度が高くなるように設定することも可能である。なお、有孔管２が短い場合には、発泡強度が同じである第１層Ｐ１、第２層Ｐ２のみを形成するようにしても良い。なお、上述の各層Ｐ１〜Ｐ４における発泡強度は一例に過ぎず、地盤Ｇの特性に応じて各層Ｐ１〜Ｐ４の発泡強度を適宜に設定することは可能である。
【００４２】
次に、実際の施工作業について説明する。実際の施工作業では、竪集水管１の下方である集水桝１０４側から内管ユニット２０を差し込んで固定する（図２、図３参照）。内管ユニット２０は、内管６、内管６を支える底型枠４、底型枠４を支える根太２１や大引き２２、及びゴムチューブ８等を事前に組み付けて一体化したものである。作業者は、集水桝１０４内で、テーブルリフトを用い、内管ユニット２０を一気に持ち上げて内管６を有孔管２内に挿入する。その後、テーブルリフトは鋼管支柱２３に置き換えられ、鋼管支柱２３は、集水桝１０４の内部をエアミルクＭ等で埋め戻す際には永久残置とされる。
【００４３】
内管ユニット２０のゴムチューブ８には送水ホース８ａが接続されており、送水ホース８ａには送液ポンプ等が接続されている。作業者は、内管ユニット２０を所定位置に固定すると送水ホース８ａから注水してゴムチューブ８を膨張させ、その結果、集水空間Ａａの上端を塞いで埋め戻し予定空間Ａｂとの境界を形成する。なお、ゴムチューブ８には、内圧を監視する水圧計８ｃを備えた監視ライン８ｂが接続されている。ゴムチューブ８の膨張状態は、監視ライン８ｂを介し、埋め戻し予定空間Ａｂへの発泡ウレタンの充填が完了するまで作業者によって監視されることになる。
【００４４】
内管６を支える底型枠４には開口が形成されており、この開口には送水ホース８ａと監視ライン８ｂとが通され、更に、複数の注入管ユニット１０，１１Ａ，１１Ｂ，１１Ｃが通されている。注入管ユニット１０，１１Ａ，１１Ｂ，１１Ｃは、発泡ウレタン原液Ｌ（図６、図７参照）を埋め戻し予定空間Ａｂ内に注入するための治具である。作業者は、複数の注入管ユニット１０，１１Ａ，１１Ｂ，１１Ｃを開口から挿入して設置し、その後、発泡ウレタン原液Ｌが漏出しないように、開口をバラ板型枠で塞ぐ。
【００４５】
なお、複数の注入管ユニット１０，１１Ａ，１１Ｂ，１１Ｃは、それぞれが独立して配置されると、自重によって撓む可能性があり、その場合、有孔管２に寄り掛かりながら螺旋状の配置になり、下部に負荷がかかり易くなって折損の可能性がでてくる。そのため、本実施形態では、複数の注入管ユニット１０，１１Ａ，１１Ｂ，１１Ｃを纏めるようにビニールテープなどの結束部材で束ねている。その結果、挿入や取り付けを纏めて行えるので作業性が向上し、また、強度的にも、下部ほど本数が増えて剛性が増すので折損を防ぐ意味で有利である。
【００４６】
注入管ユニット１０，１１Ａ，１１Ｂ，１１Ｃ（図６、図７参照）は、混合によって発泡ウレタンとなる少なくとも二種類の液体、具体的にはＡ液とＢ液とがそれぞれ独立して通過する二本の液体移送管１０ｂ，１０ｃ、１１ｂ，１１ｃを備えている。また、注入管ユニット１０，１１Ａ，１１Ｂ，１１Ｃは、液体移送管１０ｂ，１０ｃ、１１ｂ，１１ｃそれぞれを通過したＡ液とＢ液とを混合して発泡ウレタン原液Ｌを生成するミキシング管（液体混合管）１０ｄ、１１ｉと、ミキシング管１０ｄ，１１ｉで生成された発泡ウレタン原液Ｌを吐出する吐出口１０ａ、１１ｘ，１１ｙ，１１ｚが形成された吐出管１０ｅ，１１ｍとを備えている。
【００４７】
また、図示は省略するが、注入管ユニット１０，１１Ａ，１１Ｂ，１１Ｃは、注入管ユニット１０，１１Ａ，１１Ｂ，１１Ｃの下方まで延在するエア抜き管と、充填センサーとを備え、エア抜き管の空気取り入れ口、及び充填センサーは、各層の上限、及び満タンになったか否かを確認する必要から、注入管ユニット１０，１１Ａ，１１Ｂ，１１Ｃの最も高い位置に対応した位置に設けられている。具体的には、第１エルボ管１１ｊ、継手管１１ｎ、第２エルボ管１１ｋ（図６参照）に対応した位置に設けられている。
【００４８】
図３、及び図４に示されるように、複数の注入管ユニット１０，１１Ａ，１１Ｂ，１１Ｃは、第１層Ｐ１〜第４層Ｐ４の境界となる高さに合わせて各吐出口１０ａ、１１ｘ，１１ｙ，１１ｚを配置するようにして設置される。
【００４９】
複数の注入管ユニット１０，１１Ａ，１１Ｂ，１１Ｃの設置が完了すると、まず、図４（ａ）に示されるように、最下段の吐出口１０ａを有する注入管ユニット１０の下端部にＡ液ライン２５とＢ液ライン２６とを接続する。Ａ液ライン２５は、送液ポンプ２５ａを備え、適宜にＡ液の貯留缶（貯留部）２５ｃに接続される。また、Ｂ液ライン２６は、送液ポンプ２６ａを備え、適宜にＢ液の貯留缶（貯留部）２６ｃに接続される。Ａ液とＢ液とは、送液ポンプ２５ａ，２６ａによって注入管ユニット１０に供給され、注入管ユニット１０の上端部で撹拌混合されて発泡ウレタン原液Ｌとなり、吐出口１０ａから吐出される。吐出された発泡ウレタン原液Ｌは降下しながら発泡、硬化し、埋め戻し予定空間Ａｂの下方を埋め尽くして第１層Ｐ１を形成する。
【００５０】
第１層Ｐ１の充填確認は、設定吐出量×時間やＡ液やＢ液の空き缶数量に基づいて行うことができ、更に、エア抜き管からの空気の流出停止を目視で確認したり、充填センサーでの検出結果を確認したりして行うことができる。なお、本実施形態では、精度を高めるために、これらの方法を複合利用して確認するが、一部の方法のみを利用して確認することもできる。
【００５１】
第１層Ｐ１の形成（充填）が終了すると、下から２段目の吐出口１１ｘを有する注入管ユニット１１Ａの下端部にＡ液ライン２５とＢ液ライン２６とを接続する。そして、Ａ液とＢ液とを供給し、その結果、吐出口１１ｘから発泡ウレタン原液Ｌを吐出させて第２層Ｐ２を形成する。第２層Ｐ２の充填確認は、第１層Ｐ１の充填確認と同じ方法で実施できる。同様に、第２層Ｐ２が形成されると第３層Ｐ３を形成し、第３層Ｐ３が形成されると第４層Ｐ４を形成する。第１層Ｐ１〜第３層Ｐ３までの形成確認は、基本的に同様である。一方で、第４層Ｐ４の形成確認は、埋め戻し予定空間Ａｂ全体が適切に充填されたか否かの判断の為に重要であるため、充填センサーでの検出を必須とすることが望ましい。
【００５２】
なお、竪集水管１の長さが長い場合、集水桝１０４内の狭い場所に配置した小型の送液ポンプ２５ａ，２６ａでは圧送が不十分になり、Ａ液とＢ液とを十分に供給できなくなる可能性がある。この場合、例えば、地上に大型のコンプレッサーを配置して、高圧ホースをＡ液ライン２５やＢ液ライン２６に接続して圧送をサポートさせるようにすることもできる。
【００５３】
次に、図５、図６、及び図７を参照して複数の注入管ユニット１０，１１Ａ，１１Ｂ，１１Ｃについて説明する。まず、上述の第２層Ｐ２〜第４層Ｐ４を形成する注入管ユニット（以下、「上部注入管ユニット」という）１１Ａ，１１Ｂ，１１Ｃについて説明する。
【００５４】
上部注入管ユニット１１Ａ，１１Ｂ，１１Ｃは、基本的に同様の構造であるため、上部注入管ユニット１１Ａを代表して説明し、他の上部注入管ユニット１１Ｂ，１１Ｃの同一の要素については、同一の符号を付して詳しい説明は省略する。
【００５５】
上部注入管ユニット１１Ａは耐熱性硬質ポリ塩ビ製である。また、上部注入管ユニット１１Ａは、上述した通り、Ａ液が通過する液体移送管１１ｂ、Ｂ液が通過する液体移送管１１ｃ、Ａ液とＢ液とを撹拌混合して発泡ウレタン原液Ｌを生成するミキシング管１１ｉ、発泡ウレタン原液Ｌを移送して吐出口１１ｘから吐出する吐出管１１ｍとを備えている。
【００５６】
液体移送管１１ｂ，１１ｃは直線状であり、一方の端部、具体的には、埋め戻し予定空間Ａｂに配置される側の上端部にはエルボ管１１ｄ，１１ｅが接続されている。一対のエルボ管１１ｄ，１１ｅは、継手管を介して中央のチーズ管１１ｈに接続されており、チーズ管１１ｈにミキシング管１１ｉが接続されている。ミキシング管１１ｉには、例えば、螺旋状の撹拌羽根が内部に形成されており、Ａ液とＢ液とを撹拌混合して発泡ウレタン原液Ｌを生成する。一対のエルボ管１１ｄ，１１ｅ、継手管、及びチーズ管１１ｈは、各液体移送管１１ｂ，１１ｃとミキシング管１１ｉとを連結する導入側連結部１２である。
【００５７】
一方で、ミキシング管１１ｉと吐出管１１ｍとは吐出側連結部（連結部）１４を介して連結されている。吐出側連結部１４は、ミキシング管１１ｉに接続された第１エルボ管１１ｊ、第１エルボ管に接続された継手管１１ｎ、及び継手管１１ｎに接続された第２エルボ管１１ｋを有する。第１エルボ管１１ｊ、及び継手管１１ｎによって固定接続部１３が形成される。また、第２エルボ管１１ｋは、継手管１１ｎに接続されると共に、継手管１１ｎから屈曲して吐出管１１ｍに接続される可動接続部である。
【００５８】
第２エルボ管１１ｋは、継手管１１ｎを支点に回動可能であり、継手管１１ｎに対する回動によって吐出管１１ｍは傾動し、その結果、吐出管１１ｍに設けられた吐出口１１ｘの向きを調整可能である。従って、埋め戻し予定空間Ａｂ（空洞部）の適当な位置に狙いを定めて発泡ウレタン原液Ｌを吐出し易くなり、適切な発泡ウレタン層Ｐ２〜Ｐ４の形成に有利である。
【００５９】
また、吐出管１１ｍは、導入側連結部１２、ミキシング管１１ｉ、及び吐出側連結部１４を介して液体移送管１１ｂ，１１ｃに接続されており、特に、導入側連結部１２、ミキシング管１１ｉ、及び吐出側連結部１４は、Ｕ字状に屈曲して吐出管１１ｍと液体移送管１１ｂ，１１ｃとを接続している。その結果、液体移送管１１ｂ，１１ｃのＡ液またはＢ液の通過方向に対し、吐出管１１ｍを通過する発泡ウレタン原液Ｌの通過方向は逆向きとなり、吐出口１１ｘから吐出される発泡ウレタン原液Ｌの吐出方向は、Ａ液またはＢ液の通過方向に対して逆向きとなる。なお、本実施形態では、第２エルボ管１１ｋを継手管１１ｎに対して回動させることで、吐出口１１ｘの向きを調整可能であるが、発泡ウレタン原液Ｌが吐出口１１ｘから吐出される吐出方向は下向きであるため、液体の通過方向である上向きに対して逆向きであることに変わりない。
【００６０】
次に、図７を参照して下部注入管ユニット１０を説明する。下部注入管ユニット１０は耐熱性硬質ポリ塩ビ製であり、Ａ液が通過する液体移送管１０ｂ、Ｂ液が通過する液体移送管１０ｃ、Ａ液とＢ液とを撹拌混合して発泡ウレタン原液Ｌを生成するミキシング管１０ｄ、発泡ウレタン原液Ｌを移送して吐出する吐出管１０ｅとを備えている。
【００６１】
各液体移送管１０ｂ，１０ｃの上端部同士は、ミキシング管１０ｄを介して連結されており、ミキシング管１０ｄには吐出管１０ｅが立設されている。吐出管１０ｅの上端部は閉塞しており、側部に複数の吐出口１０ａが形成されている。
【００６２】
下部注入管ユニット１０では、液体移送管１０ｂ，１０ｃの長手方向と同じ方向に沿って吐出管１０ｅが設けられており、吐出管１０ｅの側部に吐出口１０ａが設けられている。したがって、吐出管１０ｅ周りの比較的狭い領域に向けて発泡ウレタン原液Ｌを吐出させて発泡ウレタン層を形成するのに有利である。そのため、下部注入管ユニット１０は、内管６近傍の狭い領域が充填対象となる第１層Ｐ１を形成するのに利用されている。
【００６３】
以上、本実施形態に係る下部注入管ユニット１０、及び上部注入管ユニット１１Ａ，１１Ｂ，１１Ｃでは、発泡前の状態であるＡ液及びＢ液を埋め戻し予定空間（空洞部）Ａｂ内の適当な位置まで送液でき、その場所でＡ液とＢ液とを混合することで発泡ウレタン原液Ｌを生成する。更に、発泡ウレタン原液Ｌを、適宜の高さに配置された吐出口１０ａ，１１ｘ，１１ｙ，１１ｚから吐出させることで、適切な厚みの発泡ウレタン層Ｐ１〜Ｐ４を容易に実現できる。
【００６４】
また、上部注入管ユニット１１Ａ，１１Ｂ，１１Ｃを用いて発泡ウレタン原液Ｌを埋め戻し予定空間Ａｂ内に注入する場合、液体移送管１１ｂ，１１ｃを鉛直方向に沿って立設するように配置し、液体移送管１１ｂ，１１ｃの下端側からＡ液及びＢ液を送液する。この場合、Ａ液とＢ液との通過方向は下端部から上端部に向けた方向、つまり上向きとなる。そして、液体移送管１１ｂ，１１ｃの上端部ではＡ液とＢ液とが混合されて発泡ウレタン原液Ｌとなり、今度は、吐出管１１ｍに沿って下向き方向に流れ、吐出口１１ｘ，１１ｙ，１１ｚから下向きに吐出される。
【００６５】
発泡ウレタン原液Ｌは粘性を有し、従って、注入管ユニットの吐出口周囲で徐々に固結塊が成長し易く、吐出口を閉塞してしまう可能性がある。しかしながら、上部注入管ユニット１１Ａ，１１Ｂ，１１Ｃの吐出管１１ｍは、吐出口１１ｘ，１１ｙ，１１ｚを下方に向けて配置するので、吐出口１１ｘ，１１ｙ，１１ｚから吐出された発泡ウレタン原液Ｌは、固結塊として成長する前に下方に向けて滑らかに吐出されることになり、目詰まり等を抑制するのに効果的である。
【００６６】
なお、第１層Ｐ１を形成する下部注入管ユニット１０では、発泡ウレタン原液Ｌは横方に向けて吐出されるので、吐出口１０ａ周囲での固結塊の成長抑止という効果は小さい。しかしながら、下部注入管ユニット１０の場合、吐出管１０ｅは、二本の液体移送管１０ｂ，１０ｃから屈曲することなく、液体移送管１０ｂ，１０ｃと同方向に沿って真っ直ぐに延びている。従って、縦長の狭い領域に配置するのに有利であるため、下部注入管ユニット１０は、主に内管６内の狭い縦長の領域に充填される第１層Ｐ１を形成する目的で使用される。
【００６７】
次に、本実施形態に係る埋め戻し構造５０、及び埋め戻し方法の作用、効果について説明する。例えば、地盤中に存在する空洞部に一種類の発泡ウレタンを充填することを前提とするならば、土圧が最も大きくなる深い位置（下部）の負荷に耐え得る発泡強度の発泡ウレタンを採用し、その発泡ウレタンを空洞部全域に充填する必要があって、コスト面も含めて効率がかなり悪い。
【００６８】
しかしながら、上述の埋め戻し構造５０、及び埋め戻し方法によれば、埋め戻し予定空間（空洞部）Ａｂ内に複数の発泡ウレタン層Ｐ１〜Ｐ４を形成するので、必要に応じて各発泡ウレタン層Ｐ１〜Ｐ４の発泡強度に変化を持たせることができ、地盤の特性や土圧の変化に応じた発泡ウレタンの充填が行い易くなり、コスト面での優位性も高い。
【００６９】
また、実際に、本実施形態では、複数の発泡ウレタン層Ｐ２〜Ｐ４を発泡強度が異なるように形成しているので、地盤Ｇに土質の異なる地層があったり、また、深さに起因した土圧変化の影響を受け易い状態であったりしても、地盤Ｇと同等以上の支持力の付与を、より効果的に実現できる。特に本実施形態に係る空洞部は、竪集水管１内の埋め戻し予定空間Ａｂであり、竪集水管１は鉛直方向に沿って立設されているので深さに起因した土圧変化の影響を受け易い。従って、本実施形態によれば、適切な埋め戻しが可能となり、有利である。
【００７０】
また、本実施形態では、発泡ウレタン原液Ｌを発泡させて発泡ウレタン層Ｐ１〜Ｐ４を形成している。発泡ウレタン原液Ｌの発泡率や発泡強度は、事前に把握されているが、埋め戻し予定空間Ａｂでは容積が決まっているので、所定の発泡率まで到達することなく硬化してしまう場合もある。しかしながら、所定の発泡率まで達しないということは、逆に言うと発泡強度が予定よりも高くなっていることを意味し、地盤Ｇと同等以上の支持力の付与という観点での問題は無く、寧ろ好適に作用する。
【００７１】
なお、埋め戻し予定空間Ａｂの埋め戻しを、発泡ウレタンではなく、例えば、既設排水管１０１（図９参照）等と同様にエアミルクＭやモルタル等を用いた場合、硬化する前にエアミルクＭやモルタル等が有孔管２の孔から周囲の地盤への流出してしまうことが懸念される。そのため、本実施形態では、自然環境への影響にも留意し、極めて短い時間（例えば、８０秒程度）で発泡、及び硬化する発泡ウレタンを埋め戻し予定空間Ａｂの充填材料として用いている。発泡ウレタンを充填材料として用いることで、周囲への流出を防ぎ、また、ブリーディングや有害物質の溶出も無い適切な埋め戻しを実現できる。
【００７２】
また、本実施形態では、竪集水管１の有孔管２内で、且つ集水空間Ａａを除く埋め戻し予定空間Ａｂに複数の発泡ウレタン層Ｐ１〜Ｐ４を形成しており、集水空間Ａａでは有孔管２の孔が生きているので、引き続き地下水の排水機能を維持させることができる。
【００７３】
また、本実施形態に係る発泡ウレタン充填方法では、吐出口１０ａ、１１ｘ，１１ｙ，１１ｚの高さが異なるように複数の注入管ユニット１０，１１Ａ，１１Ｂ，１１Ｃを埋め戻し予定空間Ａｂに配置し、最初に、最下の吐出口１０ａから発泡ウレタン原液Ｌを注入して埋め戻し予定空間Ａｂに最下段の発泡ウレタン層（第１層）Ｐ１を形成し、その後、最下の吐出口１０ａよりも上方に配置された一または複数の吐出口１１ｘ，１１ｙ，１１ｚのうち、下方の吐出口１１ｘから順番に発泡ウレタン原液Ｌを注入して埋め戻し予定空間Ａｂに複数の発泡ウレタン層Ｐ２〜Ｐ４（第２層Ｐ２〜第４層Ｐ４）を形成している。
【００７４】
つまり、本実施形態に係る発泡ウレタン充填方法では、吐出口１０ａ、１１ｘ，１１ｙ，１１ｚの高さが異なるように配置された複数の注入管ユニット１０，１１Ａ，１１Ｂ，１１Ｃを利用することで、発泡ウレタン層Ｐ１〜Ｐ４の高さを調節しながら複数の発泡ウレタン層Ｐ１〜Ｐ４を容易に形成できる。
【００７５】
以上、本発明について実施形態に係る埋め戻し構造５０、及び埋め戻し方法を例に説明したが、本発明は、上述の実施形態のみには限定されない。例えば、上記の実施形態では、地盤に存在する空洞部として竪集水管１の埋め戻し予定空間Ａｂを例に説明したが、地盤Ｇと同等以上の支持力を付与するという目的を達成できるのであれば、地盤内に存在する空洞部に広く適用できる。例えば、トンネルの裏込め、つまり、トンネルの裏面に存在する空洞部に発泡強度が異なる複数の発泡ウレタン層を形成するようにしてもよい。
【符号の説明】
【００７６】
１…竪集水管、２…有孔管、２ａ…内周面、６…内管、６ａ…外周面、８…ゴムチューブ（チューブ）、１０，１１Ａ，１１Ｂ，１１Ｃ…注入管ユニット、１０ａ，１１ｘ，１１ｙ，１１ｚ…吐出口、１０ｂ，１０ｃ，１１ｂ，１１ｃ…液体移送管、１０ｄ，１１ｉ…ミキシング管（液体混合管）、１０ｅ，１１ｍ…吐出管、１１ｋ…第２エルボ管（可動接続部）、１３…固定接続部、１４…吐出側連結部（連結部）、１０１…地下排水管、Ｇ…地盤、Ａａ…集水空間、Ａｂ…埋め戻し予定空間（空洞部）、Ｌ…発泡ウレタン原液、Ｐ１、Ｐ２，Ｐ３，Ｐ４…発泡ウレタン層。
【図１】
0006322079.tif 000002
【図２】
0006322079.tif 000003
【図３】
0006322079.tif 000004
【図４】
0006322079.tif 000005
【図５】
0006322079.tif 000006
【図６】
0006322079.tif 000007
【図７】
0006322079.tif 000008
【図８】
0006322079.tif 000009
【図９】
0006322079.tif 000010